【手続補正書】
【提出日】平成24年7月12日(2012.7.12)
【手続補正１】
【補正対象書類名】明細書
【補正対象項目名】０１０７
【補正方法】変更
【補正の内容】
【０１０７】
要約すれば、本発明は、移動通信システムを介して物理的リソース・ブロックの形で反復重複のあるシンボルを送信するための方法と装置を提供する。本発明によれば、元のシンボルとそれに対応する重複シンボルがいくつかのグループに分けられ、各グループが物理的リソース・ブロックにマッピングされる。対応する元のデータ・シンボルと重複データ・シンボル間のダイバーシチの所望のレベルが、グループ中の元のシンボルの部分を、同一グループ中の重複シンボルの部分がそこにマッピングされる物理的リソース・ブロックとは異なる物理的リソース・ブロックにマッピングすることによって満たされる。
本発明は、第２の物理的リソース・ブロックの中の前記重複データ・シンボルが、第１の物理的リソース・ブロック内の前記元のデータ・シンボルと一致し、前記第２の物理的リソース・ブロック内の同じ位置から開始する、方法である。
本発明は、各グループ（８４０）の各部分（８４１、８４２）が、異なる物理的リソース・ブロック内へマッピングされる、方法である。
本発明は、前記物理的リソース・ブロックが、タイム・スロットと所定の数のサブキャリアによって定義され、第１のグループ（８００）の第１の部分（８１０）と第２の部分（８２０）は、異なるタイム・スロットにマッピングされ、前記複数のグループ（８００、８４０）の残りのグループ（８４０）の第１の部分（８４１）と第２の部分（８４２）は、同一のタイム・スロットにマッピングされる、方法である。
本発明は、前記移動通信システムが３ＧＰＰロングタームエボリューションシステムである、方法である。
本発明は、仮想リソース・ブロックの諸ペアを物理的リソース・ブロックの諸ペアに分散化マッピング（５００）することが適用され、仮想リソース・ブロックの各ペアが、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックは第１の物理的リソース・ブロックにマッピングされ、前記第２の仮想リソース・ブロックは第２の物理的リソース・ブロックにマッピングされ、前記第１及び前記第２の物理的リソース・ブロックは、それらの周波数が所定の周波数ギャップの間隔をとり離されていて、異なるタイム・スロットにマッピングされる、方法である。
本発明は、第１のグループ（８００）の前記元のデータ・シンボル（６１０）の第１の部分（８１０）が、第１の仮想リソース・ブロック・ペアの第１の仮想リソース・ブロック内へマッピングされ、前記第１のグループの重複データ・シンボル（６２０）の第２の部分（８２０）が、前記仮想リソース・ブロック・ペアの第２の仮想リソース・ブロック内へマッピングされ、第２のグループ（８４０）の前記元のデータ・シンボル（６１０）の第１の部分（８４１）が、第１の仮想リソース・ブロック・ペアの第２の仮想リソース・ブロック内へマッピングされ、前記第２のグループ（８４０）の前記重複データ・シンボル（６２０）の第２の部分（８４２）が、第２の仮想リソース・ブロック・ペアの第２の仮想リソース・ブロック内へマッピングされる、方法である。
本発明は、前記第１のグループ（８００）以外のグループ（８４０）の前記重複データ・シンボル（６２０）の第２の部分（８４２）が、前記グループ（８４０）の前記元のデータ・シンボル（６１０）の第１の部分（８４１）とタイム・スロット内の同じ位置にマッピングされる、方法である。
本発明は、前記第２の物理的リソース・ブロックの中の前記重複データ・シンボルが、前記第１の物理的リソース・ブロック内の前記元のデータ・シンボルと一致する、前記第２の物理的リソース・ブロック内の同じ位置から開始する、送信器である。
本発明は、リソース・マッパー（１８２０）は、各グループ（８４０）の各部分（８４１、８４２）を異なる物理的リソース・ブロック内へマッピングするように適合される、送信器である。
本発明は、前記物理的リソース・ブロックは、タイム・スロットと所定の数のサブキャリアによって定義され、前記リソース・マッパー（１８２０）は、第１のグループ（８００）の第１の部分（８１０）と第２の部分（８２０）を異なるタイム・スロットにマッピングし、前記複数のグループ（８００、８４０）の残りのグループ（８４０）の第１の部分（８４１）と第２の部分（８４２）を同一のタイム・スロットにマッピングするように適合される、送信器である。
本発明は、前記移動通信システムが３ＧＰＰロングタームエボリューションシステムである、送信器である。
本発明は、前記リソース・マッパー（１８２０）が、仮想リソース・ブロックの諸ペアを物理的リソース・ブロックの諸ペアに分散化マッピング（５００）するように適合され、仮想リソース・ブロックの各ペアは、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックは第１の物理的リソース・ブロックにマッピングされ、前記第２の仮想リソース・ブロックは第２の物理的リソース・ブロックにマッピングされ、前記第１及び前記第２の物理的リソース・ブロックは、それらの周波数が所定の周波数ギャップの間隔をとり離されていて、異なるタイム・スロットにマッピングされる、送信器である。
本発明は、前記リソース・マッパー（１８２０）が、第１のグループ（８００）の前記元のデータ・シンボル（６１０）の第１の部分（８１０）を第１の仮想リソース・ブロック・ペアの第１の仮想リソース・ブロック内へマッピングし、前記第１のグループの前記重複データ・シンボル（６２０）の第２の部分（８２０）を前記仮想リソース・ブロック・ペアの第２の仮想リソース・ブロック内へマッピングし、第２のグループ（８４０）の前記元のデータ・シンボル（６１０）の第１の部分（８４１）を第１の仮想リソース・ブロック・ペアの第２の仮想リソース・ブロック内へマッピングし、前記第２のグループ（８４０）の前記重複データ・シンボル（６２０）の第２の部分（８４２）を第２の仮想リソース・ブロック・ペアの第２の仮想リソース・ブロック内へマッピングするように適合される、送信器である。
本発明は、前記リソース・マッパー（１８２０）が、前記第１のグループ（８００）以外のグループ（８４０）の前記重複データ・シンボル（６２０）の第２の部分（８４２）を前記グループ（８４０）の前記元のデータ・シンボル（６１０）の第１の部分（８４１）とタイム・スロット内の同じ位置にマッピングするように適合される、送信器である。
本発明は、コンピュータにより読取り可能なプログラム・コードが収められたコンピュータにより読取り可能な媒体を含んでなるコンピュータ・プログラム製品であり、前記プログラム・コードは既述のステップを実行するように適合される、コンピュータ・プログラム製品である。
本発明は、前記第２の物理的リソース・ブロックの中の前記重複データ・シンボルが、前記第１の物理的リソース・ブロック内の前記元のデータ・シンボルと一致する、前記第２の物理的リソース・ブロック内の同じ位置から開始する、方法である。
本発明は、各グループ（８４０）の各部分（８４１、８４２）が、異なる物理的リソース・ブロックからデマッピングされる、方法である。
本発明は、前記物理的リソース・ブロックが、タイム・スロットと所定の数のサブキャリアによって定義され、第１のグループ（８００）の第１の部分（８１０）と第２の部分（８２０）が、異なるタイム・スロットからデマッピングされ、前記複数のグループ（８００、８４０）の残りのグループ（８４０）の第１の部分（８４１）と第２の部分（８４２）が、同一のタイム・スロットからデマッピングされる、方法である。
本発明は、前記移動通信システムが３ＧＰＰロングタームエボリューションシステムである、方法である。
本発明は、仮想リソース・ブロックの諸ペアを物理的リソース・ブロックの諸ペアに分散化マッピング（５００）することが適用され、仮想リソース・ブロックの各ペアは、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックは第１の物理的リソース・ブロックからデマッピングされ、前記第２の仮想リソース・ブロックは第２の物理的リソース・ブロックからデマッピングされ、前記第１及び前記第２の物理的リソース・ブロックは、それらの周波数が所定の周波数ギャップの間隔をとり離されていて、異なるタイム・スロットからデマッピングされる、方法である。
本発明は、第１のグループ（８００）の前記元のデータ・シンボル（６１０）の第１の部分（８１０）が、第１の仮想リソース・ブロック・ペアの第１の仮想リソース・ブロックからデマッピングされ、前記第１のグループの前記重複データ・シンボル（６２０）の第２の部分（８２０）が、前記仮想リソース・ブロック・ペアの第２の仮想リソース・ブロックからデマッピングされ、第２のグループ（８４０）の前記元のデータ・シンボル（６１０）の第１の部分（８４１）が、第１の仮想リソース・ブロック・ペアの第２の仮想リソース・ブロックからデマッピングされ、前記第２のグループ（８４０）の前記重複データ・シンボル（６２０）の第２の部分（８４２）は、第２の仮想リソース・ブロック・ペアの第２の仮想リソース・ブロックからデマッピングされる、方法である。
本発明は、前記第１のグループ（８００）以外のグループ（８４０）の前記重複データ・シンボル（６２０）の第２の部分（８４２）が、前記グループ（８４０）の前記元のデータ・シンボル（６１０）の第１の部分（８４１）とタイム・スロット内の同じ位置からデマッピングされる、方法である。
本発明は、前記第２の物理的リソース・ブロックの中の前記重複データ・シンボルが、前記第１の物理的リソース・ブロック内の前記元のデータ・シンボルと一致する、前記第２の物理的リソース・ブロック内の同じ位置から開始する、受信器である。
本発明は、リソース・デマッパー（１８３０）が、各グループ（８４０）の各部分（８４１、８４２）を異なる物理的リソース・ブロックからデマッピングするように適合される、受信器である。
本発明は、前記物理的リソース・ブロックが、タイム・スロットと所定の数のサブキャリアによって定義され、前記リソース・デマッパー（１８３０）が、第１のグループ（８００）の第１の部分（８１０）と第２の部分（８２０）を異なるタイム・スロットからデマッピングし、前記複数のグループ（８００、８４０）の残りのグループ（８４０）の第１の部分（８４１）と第２の部分（８４２）を同一のタイム・スロットからデマッピングするように適合される、受信器である。
本発明は、前記移動通信システムが３ＧＰＰロングタームエボリューションシステムである、受信器である。
本発明は、前記リソース・デマッパー（１８３０）が、仮想リソース・ブロックの諸ペアを物理的リソース・ブロックの諸ペアに分散化マッピング（５００）するように適合され、仮想リソース・ブロックの各ペアが、第１のタイム・スロット中の第１の仮想リソース・ブロックと第２のタイム・スロット中の第２の仮想リソース・ブロックを含み、仮想リソース・ブロックの各ペアは周波数領域において共通のインデックス付けによってアドレス指定され、前記第１の仮想リソース・ブロックが第１の物理的リソース・ブロックからデマッピングされ、前記第２の仮想リソース・ブロックが第２の物理的リソース・ブロックからデマッピングされ、前記第１及び前記第２の物理的リソース・ブロックが、それらの周波数が所定の周波数ギャップの間隔をとり離されていて、異なるタイム・スロットにマッピングされる、受信器である。
本発明は、前記リソース・デマッパー（１８３０）が、第１のグループ（８００）の前記元のデータ・シンボル（６１０）の第１の部分（８１０）を第１の仮想リソース・ブロック・ペアの第１の仮想リソース・ブロックからデマッピングし、前記第１のグループの前記重複データ・シンボル（６２０）の第２の部分（８２０）を前記仮想リソース・ブロック・ペアの第２の仮想リソース・ブロックからデマッピングし、第２のグループ（８４０）の前記元のデータ・シンボル（６１０）の第１の部分（８４１）を第１の仮想リソース・ブロック・ペアの第２の仮想リソース・ブロックからデマッピングし、前記第２のグループ（８４０）の前記重複データ・シンボル（６２０）の第２の部分（８４２）を第２の仮想リソース・ブロック・ペアの第２の仮想リソース・ブロックからデマッピングするように適合される、受信器である。
本発明は、前記リソース・デマッパー（１８３０）は、前記第１のグループ（８００）以外のグループ（８４０）の前記重複データ・シンボル（６２０）の第２の部分（８４２）を前記グループ（８４０）の前記元のデータ・シンボル（６１０）の第１の部分（８４１）とタイム・スロット内の同じ位置からデマッピングするように適合される、受信器である。
【手続補正２】
【補正対象書類名】特許請求の範囲
【補正対象項目名】全文
【補正方法】変更
【補正の内容】
【特許請求の範囲】
【請求項１】
移動通信システムにおいて、無線チャネルの複数の物理的リソース・ブロックを使用してシンボルのブロックを送信するための方法であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記方法は、
各グループが前記元のデータ・シンボル（６１０）の第１の部分（８１０、８４１）とそれに対応する重複データ・シンボル（６２０）の第２の部分（８２０、８４２）を含む、複数のグループ（８００、８４０）に前記データ・シンボルを分けるステップと、
グループ（８４０）の各部分（８４１、８４２）の前記データ・シンボルを異なる物理的リソース・ブロック内へマッピングするステップと、
を有する方法。
【請求項２】
異なる物理的リソース・ブロック内へマッピングされた前記対応する元のデータ・シンボルと重複データ・シンボルは、ダイバーシチの所定のレベルを満たす、請求項１に記載の方法。
【請求項３】
シンボルの前記ブロックは少なくとも一つの制御シンボル（６３０）をさらに含んでなり、
前記少なくとも一つの制御シンボル（６３０）は、前記複数のグループ（８００、８４０）の一つ（８００）に属する前記元のデータ・シンボルの前記第１の部分（８１０）と同じ物理的リソース・ブロック内へマッピングされ、
前記グループ（８００）中のデータ・シンボルの数は、前記少なくとも一つの制御シンボル（６３０）の数に基づいて決められる、
請求項１または請求項２に記載の方法。
【請求項４】
各物理的リソース・ブロックはチャネル推定のための少なくとも一つの参照信号（４０１、９０１）を含んでなり、グループ（８００、８４０）中の前記データ・シンボルの数は、そのグループがマッピングされる前記物理的リソース・ブロック内の参照信号（４０１、９０１）の数に基づいて決められる、請求項１から請求項３のうちのいずれか一つに記載の方法。
【請求項５】
グループ（８００、８４０）について、第２の物理的リソース・ブロック内へマッピングされた前記第２の部分（８２０、８４２）の前記重複データ・シンボルの配列は、第１の物理的リソース・ブロック内へマッピングされた前記第１の部分（８１０、８４１）の対応する前記元のデータ・シンボルの配列と同じである、請求項１から請求項４のうちのいずれか一つに記載の方法。
【請求項６】
移動通信システムにおいて、無線チャネルの複数の物理的リソース・ブロックを使用してシンボルのブロックを送信するための送信器であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記送信器は、
各グループが前記元のデータ・シンボル（６１０）の第１の部分（８１０、８４１）とそれに対応する重複データ・シンボル（６２０）の第２の部分（８２０、８４２）を含む、複数のグループ（８００、８４０）に前記データ・シンボルを分けるためのグループ化ユニット（１８１０）と、
グループ（８４０）の各部分（８４１、８４２）の前記データ・シンボルを異なる物理的リソース・ブロック内へマッピングするためのリソース・マッパー（１８２０）と、
を具備する送信器。
【請求項７】
異なる物理的リソース・ブロック内へマッピングされた前記対応する元のデータ・シンボルと重複データ・シンボルは、ダイバーシチの所定のレベルを満たす、請求項６に記載の送信器。
【請求項８】
シンボルの前記ブロックは少なくとも一つの制御シンボル（６３０）をさらに含んでなり、
前記リソース・マッパー（１８２０）は、前記複数のグループ（８００、８４０）の一つ（８００）に属する前記元のデータ・シンボルの前記第１の部分（８１０）と同じ物理的リソース・ブロック内へ前記少なくとも一つの制御シンボル（６３０）をマッピングするように適合され、
前記グループ化ユニット（１８１０）は、前記少なくとも一つの制御シンボル（６３０）の数に基づいて、前記グループ（８００）中のデータ・シンボルの数を決めるように適合される、
請求項６または請求項７に記載の送信器。
【請求項９】
各物理的リソース・ブロックはチャネル推定のための少なくとも一つの参照信号（４０１、９０１）を含んでなり、
前記グループ化ユニット（１８１０）は、グループ（８００）中の前記データ・シンボルの数を、そのグループがマッピングされる前記物理的リソース・ブロック内の参照信号（４０１、９０１）の数に基づいて決めるように適合される、
請求項６から請求項８のうちのいずれか一つに記載の送信器。
【請求項１０】
グループ（８００、８４０）について、第２の物理的リソース・ブロック内へマッピングされた前記第２の部分（８２０、８４２）の前記重複データ・シンボルの配列は、第１の物理的リソース・ブロック内へマッピングされた前記第１の部分（８１０、８４１）の対応する前記元のデータ・シンボルの配列と同じである、請求項６から請求項９のうちのいずれか一つに記載の送信器。
【請求項１１】
移動通信システムにおいて、無線チャネルの複数の物理的リソース・ブロックを使用して送信されたシンボルのブロックを受信するための方法であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記方法は、
各リソース・ブロックが前記元のデータ・シンボル（６１０）の第１の部分（８１０、８４１）と前記重複データ・シンボル（６２０）の第２の部分（８２０、８４２）のうちの少なくとも一つを含む、異なる物理的リソース・ブロックから前記データ・シンボルをデマッピング（１８３０）するステップと、
前記元のデータ・シンボル（６１０）の第１の部分（８１０、８４１）を、それに対応する重複データ・シンボル（６２０）の第２の部分（８２０、８４２）と共に、グループ（８００、８４０）にグループ化する（１８４０）ステップと、
複数のグループの前記元のデータ・シンボルと前記重複データ・シンボルを元のデータ・シンボルと重複データ・シンボルに再編成する（１８５０）ステップと、
を有する方法。
【請求項１２】
異なる物理的リソース・ブロック内へマッピングされた前記対応する元のデータ・シンボルと重複データ・シンボルは、ダイバーシチの所定のレベルを満たす、請求項１１に記載の方法。
【請求項１３】
シンボルの前記ブロックは少なくとも一つの制御シンボル（６３０）をさらに含んでなり、
前記少なくとも一つの制御シンボル（６３０）は、前記複数のグループ（８００、８４０）の一つ（８００）に属する前記元のデータ・シンボルの前記第１の部分（８１０）と同じ物理的リソース・ブロックからデマッピングされ、
前記グループ（８００）中のデータ・シンボルの数は、前記少なくとも一つの制御シンボル（６３０）の数に基づいて決められる、
請求項１１または請求項１２に記載の方法。
【請求項１４】
各物理的リソース・ブロックはチャネル推定のための少なくとも一つの参照信号（４０１、９０１）を含んでなり、グループ（８００、８４０）中の前記データ・シンボルの数は、そのグループがそこからデマッピングされる前記物理的リソース・ブロック内の参照信号（４０１、９０１）の数に基づいて決められる、請求項１１から請求項１３のうちのいずれか一つに記載の方法。
【請求項１５】
グループ（８００、８４０）について、第２の物理的リソース・ブロックからデマッピングされた前記第２の部分（８２０、８４２）の前記重複データ・シンボルの配列は、第１の物理的リソース・ブロックからデマッピングされた前記第１の部分（８１０、８４１）の対応する前記元のデータ・シンボルの配列と同じである、請求項１１から請求項１４のうちのいずれか一つに記載の方法。
【請求項１６】
移動通信システムにおいて、無線チャネルの複数の物理的リソース・ブロックを使用して送信されたシンボルのブロックを受信するための受信器であり、シンボルの前記ブロックは、元のデータ・シンボル（６１０）と重複データ・シンボル（６２０）を含むデータ・シンボルを含んでなり、各重複データ・シンボルは元のデータ・シンボルに対応しており、前記物理的リソース・ブロック（３２０）は、送信スロット、サブバンド周波数、符号及び放射パターンのうちの少なくとも一つによって指定され、前記受信器は、
各リソース・ブロックが前記元のデータ・シンボル（６１０）の第１の部分（８１０、８４１）と前記重複データ・シンボル（６２０）の第２の部分（８２０、８４２）のうちの少なくとも一つを含む、異なる物理的リソース・ブロックから前記データ・シンボルをデマッピングするためのデマッパー（１８３０）と、
前記元のデータ・シンボル（６１０）の第１の部分（８１０、８４１）を、それに対応する重複データ・シンボル（６２０）の第２の部分（８２０、８４２）と共に、グループ（８００、８４０）にグループ化するためのグループ化ユニット（１８４０）と、
複数のグループの前記元のデータ・シンボルと前記重複データ・シンボルを元のデータ・シンボルと重複データ・シンボルに再編成するための再編成ユニット（１８５０）と、
を具備する受信器。
【請求項１７】
異なる物理的リソース・ブロック内へマッピングされた前記対応する元のデータ・シンボルと重複データ・シンボルは、ダイバーシチの所定のレベルを満たす、請求項１６に記載の受信器。
【請求項１８】
シンボルの前記ブロックは少なくとも一つの制御シンボル（６３０）をさらに含んでなり、
前記リソース・デマッパー（１８３０）は、前記少なくとも一つの制御シンボル（６３０）を前記複数のグループ（８００、８４０）の一つ（８００）に属する前記元のデータ・シンボルの前記第１の部分（８１０）と同じ物理的リソース・ブロックからデマッピングするように適合され、
前記グループ化ユニット（１８４０）は、前記少なくとも一つの制御シンボル（６３０）の数に基づいて、前記グループ（８００）中のデータ・シンボルの数を決めるように適合される、
請求項１６または請求項１７に記載の受信器。
【請求項１９】
各物理的リソース・ブロックはチャネル推定のための少なくとも一つの参照信号（４０１、９０１）を含んでなり、
前記グループ化ユニット（１８４０）は、グループ（８００）中の前記データ・シンボルの数を、そのグループがそこからデマッピングされる前記物理的リソース・ブロック内の参照信号（４０１、９０１）の数に基づいて決めるように適合される、
請求項１６から請求項１８のうちのいずれか一つに記載の受信器。
【請求項２０】
グループ（８００、８４０）について、第２の物理的リソース・ブロックからデマッピングされた前記第２の部分（８２０、８４２）の前記重複データ・シンボルの配列は、第１の物理的リソース・ブロックからデマッピングされた前記第１の部分（８１０、８４１）の対応する前記元のデータ・シンボルの配列と同じである、請求項１６から請求項１９のうちのいずれか一つに記載の受信器。